(57)【要約】【課題】配付者が行う作業を減らしつつ、配付者による配付物の配付を速やかに完了させることが可能な画像形成装置を提供する。【解決手段】画像形成装置は、座席位置情報を記憶するとともに、配付物の印刷データを記憶する記憶部と、印刷部と、仕分け部と、制御部と、を備え、複数の座席は複数の座席グループに分類され、記憶部は被配付者の個別印刷データを記憶し、制御部は、被配付者の位置情報を認識するとともに、位置情報と座席位置情報とに基づき座席に居る第１被配付者を認識し、同一の座席グループの座席に居る第１被配付者を同一の仕分けグループに分類する処理を行い、第１被配付者の個別印刷データに基づく印刷を印刷部に行わせ、仕分け部による配付物の仕分けを仕分けグループ単位で行わせる。【選択図】図５
2020069697.tif 000002
【特許請求の範囲】
【請求項１】
複数の座席の各位置を示す座席位置情報を記憶するとともに、複数の被配付者に配付する配付物の印刷データを記憶する記憶部と、
前記印刷データに基づき印刷を行う印刷部と、
前記配付物の仕分けを行う仕分け部と、
前記印刷部および前記仕分け部を制御する制御部と、を備え、
複数の前記座席は、複数の座席グループに分類され、
前記記憶部は、前記被配付者ごとの前記配付物の前記印刷データである個別印刷データを記憶し、
前記制御部は、前記被配付者の位置情報を認識するとともに、前記位置情報と前記座席位置情報とに基づき前記座席に居る前記被配付者である第１被配付者を認識し、同一の前記座席グループの前記座席に居る前記第１被配付者を同一の仕分けグループに分類する処理を行い、前記第１被配付者の前記個別印刷データに基づく印刷を前記印刷部に行わせ、前記仕分け部による前記配付物の仕分けを前記仕分けグループ単位で行わせることを特徴とする画像形成装置。
【請求項２】
操作パネルを備え、
前記制御部は、前記位置情報と前記座席位置情報とに基づき前記座席に居ない前記被配付者である第２被配付者を認識する処理を行い、前記第２被配付者が存在する場合、前記第２被配付者が存在する旨の報知を前記操作パネルに行わせることを特徴とする請求項１に記載の画像形成装置。
【請求項３】
前記操作パネルは、前記第２被配付者の前記配付物の印刷を行うか否かを受け付け、
前記制御部は、前記第２被配付者の前記配付物の印刷を行う旨を前記操作パネルが受け付けた場合、前記第２被配付者を前記第１被配付者の前記仕分けグループとは別の前記仕分けグループに分類する処理を行い、前記第１被配付者の前記個別印刷データに基づく印刷および前記第２被配付者の前記個別印刷データに基づく印刷を前記印刷部に行わせ、前記仕分け部による前記配付物の仕分けを前記仕分けグループ単位で行わせることを特徴とする請求項２に記載の画像形成装置。
【請求項４】
前記記憶部は、前記被配付者に割り当てられた前記座席を示す座席割当情報を記憶し、
前記操作パネルは、前記第２被配付者の前記配付物の印刷を行うか否かを受け付け、
前記制御部は、前記第２被配付者の前記配付物の印刷を行う旨を前記操作パネルが受け付けた場合、前記第２被配付者に割り当てられた前記座席を含む前記座席グループの前記座席に居る前記第１被配付者と同じ前記仕分けグループに前記第２被配付者を分類する処理を行い、前記第１被配付者の前記個別印刷データに基づく印刷および前記第２被配付者の前記個別印刷データに基づく印刷を前記印刷部に行わせ、前記仕分け部による前記配付物の仕分けを前記仕分けグループ単位で行わせることを特徴とする請求項２に記載の画像形成装置。
【請求項５】
操作パネルと、
画像を読み取る画像読取部と、を備え、
前記記憶部は、前記被配付者に割り当てられた前記座席を示す座席割当情報を記憶するとともに、全ての前記被配付者に共通の前記配付物の前記印刷データである共通印刷データを記憶し、
前記画像読取部は、前記被配付者の出欠状況が記入されたチェックシートを読み取り前記チェックシートの画像データを生成し、
前記操作パネルは、前記配付物の仕分けを前記被配付者の出欠状況に基づき行うか否かを受け付け、
前記制御部は、前記配付物の仕分けを前記被配付者の出欠状況に基づき行う旨を前記操作パネルが受け付けた場合、前記画像読取部による前記チェックシートの読み取りで得られた前記画像データと前記座席位置情報とに基づき、前記座席グループごとに、出席している前記被配付者の人数である出席人数を認識する処理を行い、前記座席グループごとの前記出席人数の合計に相当する部数分、前記共通印刷データに基づく印刷を前記印刷部に行わせ、複数の前記座席グループのそれぞれの前記出席人数分の前記配付物が互いに区別されるように、前記仕分け部に前記配付物の仕分けを行わせることを特徴とする請求項１〜４のいずれか１項に記載の画像形成装置。
【発明の詳細な説明】
【技術分野】
【０００１】
本発明は、印刷を行う画像形成装置に関する。
【背景技術】
【０００２】
学校などでは、教師（配付者）から生徒（被配付者）に対し、テスト用紙や資料などの配付物が配付されることが多い。画像形成装置が学校に設置されている場合には、画像形成装置で配付物を印刷することができる。
【０００３】
ここで、特許文献１の画像形成装置は、座席列ごとに生徒数を認識する。そして、特許文献１の画像形成装置は、複数の座席列のそれぞれの生徒数分の配付物が互いに区別されるように、配付物を仕分けしつつ排出する。このようにして配付物が仕分けされると、座席列単位で配付物を配付するとき、教師は配付物の仕分け作業を自身で行わなくてもよくなる。
【先行技術文献】
【特許文献】
【０００４】
【特許文献１】特開２０１６−２０３５６２号公報
【発明の概要】
【発明が解決しようとする課題】
【０００５】
配付物の種類は様々であり、生徒ごとに異なる配付物（たとえば、生徒名や出席番号が予め記載されたテスト用紙）を配付する場合がある。また、学校によっては、複数の生徒がそれぞれ、自身が着席する座席を任意に選ぶ場合がある。
【０００６】
このような場合、通常では、生徒が居る座席を確認したり、座席に居る生徒が誰であるかを確認したりする確認作業を行いつつ、生徒ごとの配付物を配付していかなければならない。確認作業を行わなければならないのは、教師（配付者）にとっては煩わしく利便性が悪い。また、全ての生徒への配付物の配付が完了するまでに時間がかかる。
【０００７】
本発明は、上記課題を解決するためになされたものであり、配付者が行う作業を減らしつつ、配付者による配付物の配付を速やかに完了させることが可能な画像形成装置を提供することを目的とする。
【課題を解決するための手段】
【０００８】
上記目的を達成するため、本発明の画像形成装置は、複数の座席の各位置を示す座席位置情報を記憶するとともに、複数の被配付者に配付する配付物の印刷データを記憶する記憶部と、印刷データに基づき印刷を行う印刷部と、配付物の仕分けを行う仕分け部と、印刷部および仕分け部を制御する制御部と、を備える。複数の座席は、複数の座席グループに分類される。記憶部は、被配付者ごとの配付物の印刷データである個別印刷データを記憶する。制御部は、被配付者の位置情報を認識するとともに、位置情報と座席位置情報とに基づき座席に居る被配付者である第１被配付者を認識し、同一の座席グループの座席に居る第１被配付者を同一の仕分けグループに分類する処理を行い、第１被配付者の個別印刷データに基づく印刷を印刷部に行わせ、仕分け部による配付物の仕分けを仕分けグループ単位で行わせる。
【発明の効果】
【０００９】
本発明の構成では、配付者が行う作業を減らしつつ、配付者による配付物の配付を速やかに完了させることができる。
【図面の簡単な説明】
【００１０】
【図１】本発明の一実施形態によるＭＦＰの構成を示す概略図
【図２】本発明の一実施形態によるＭＦＰの排出トレイに排出される印刷物（配付物）の排出位置を示す図
【図３】本発明の一実施形態によるＭＦＰの構成を示すブロック図
【図４】本発明の一実施形態によるＭＦＰに記憶される座席位置情報に対応する複数の座席の各位置を示す図
【図５】本発明の一実施形態によるＭＦＰの制御部が行う第１処理の流れを示すフローチャート
【図６】本発明の一実施形態によるＭＦＰの制御部が行うグループ分けについて説明するための図
【図７】本発明の一実施形態によるＭＦＰの排出トレイに排出された配付物の状態を示す図
【図８】本発明の一実施形態によるＭＦＰの画像読取部により読み取られるチェックシートを示す図
【図９】本発明の一実施形態によるＭＦＰの制御部が行う第２処理の流れを示すフローチャート
【図１０】本発明の一実施形態によるＭＦＰの排出トレイに排出された配付物の状態を示す図
【発明を実施するための形態】
【００１１】
以下に、本発明の一実施形態による画像形成装置について、スキャン機能やプリント機能など複数種の機能を搭載するＭＦＰ（複合機）を例にとって説明する。
＜ＭＦＰの構成＞
図１に示すように、本実施形態のＭＦＰ１００（「画像形成装置」に相当）は、画像読取部１を備える。画像読取部１は、原稿Ｄを読み取って原稿Ｄの画像データを生成する。読取対象の原稿Ｄはプラテンガラス１０上に載置される。
【００１２】
画像読取部１は、原稿Ｄを光学的に読み取る光学系部材を備える。光学系部材は、光源１１およびイメージセンサー１２を含む。光源１１は、プラテンガラス１０上の原稿Ｄに光を照射する。イメージセンサー１２は、原稿Ｄで反射された反射光を受光して光電変換する。
【００１３】
また、ＭＦＰ１００は、印刷部２を備える。印刷部２は、用紙搬送路２０（図１では、破線矢印で示す）に沿って用紙Ｐを搬送し、印刷すべき画像を形成する。そして、印刷部２は、搬送中の用紙Ｐに画像を印刷する。
【００１４】
印刷部２は、給紙ローラー対２１を備える。給紙ローラー対２１は、用紙カセットＣＡに収容された用紙Ｐを用紙搬送路２０に給紙する。たとえば、用紙カセットＣＡの上方にはピックアップローラー（図示せず）が設置される。給紙ローラー対２１が用紙搬送路２０に用紙Ｐを給紙するときには、ピックアップローラーによって用紙カセットＣＡから用紙Ｐが引き出される。
【００１５】
なお、図示しないが、印刷部２は、用紙搬送路２０に沿って用紙Ｐを搬送するための搬送ローラー対を複数備える。用紙搬送路２０に給紙された用紙Ｐは、搬送ローラー対により、用紙搬送路２０に沿って搬送される。
【００１６】
また、印刷部２は、画像形成部２２を備える。画像形成部２２は、感光体ドラム２２１および転写ローラー２２２を備える。なお、図示しないが、画像形成部２２は、感光体ドラム２２１の周面を帯電させる帯電装置、感光体ドラム２２１の周面上に静電潜像を形成する露光装置、および、感光体ドラム２２１の周面上の静電潜像をトナー像に現像する現像装置も備える。
【００１７】
感光体ドラム２２１および転写ローラー２２２は、互いに圧接し、転写ニップを形成する。搬送中の用紙Ｐが転写ニップを通過するとき、感光体ドラム２２１の周面上のトナー像が用紙Ｐに転写される。
【００１８】
また、印刷部２は、定着ローラー対２３を備える。定着ローラー対２３は、加熱ローラーおよび加圧ローラーを含む。加熱ローラーは、ヒーターを内蔵する。加圧ローラーは、加熱ローラーに圧接し、加熱ローラーとの間で定着ニップを形成する。搬送中の用紙Ｐ（トナー像が転写された用紙Ｐ）が定着ニップを通過することにより、用紙Ｐにトナー像が定着される。
【００１９】
ここで、ＭＦＰ１００は、印刷部２による印刷で得られた印刷物（トナー像が転写された用紙Ｐ）を仕分けする仕分け処理を行う仕分け部３を備える。仕分け部３は、排出トレイ３１を含む。仕分け部３は、印刷部２から印刷物を受け入れ、排出トレイ３１に印刷物を排出する。仕分け部３は、印刷物を排出するとき、仕分け処理を行う。なお、仕分け処理の実行が可能なオプション装置（フィニッシャー）を複合機１００に設置し、複合機１００に設置したオプション装置を仕分け部３として機能させてもよい。
【００２０】
仕分け部３は、仕分け処理として、排出トレイ３１に排出する印刷物を排出方向と直交する幅方向（図１の紙面に対して垂直な方向）にシフトさせる処理を行う。仕分け部３に仕分け処理を行わせることにより、排出トレイ３１上での印刷物の排出位置を変えることができる。たとえば、図２左図に示すように、或る印刷物（図２では、符号Ｐａを付す）が排出トレイ３１に既に排出されているとする。そして、次の印刷物（ここでは、符号Ｐｂを付す）の排出時にシフト処理が行われたとする。この場合、図２右図に示すように、排出トレイ３１上において、印刷物Ｐａの排出位置に対して印刷物Ｐｂの排出位置が幅方向にシフトする。
【００２１】
また、図３に示すように、ＭＦＰ１００は、制御部４および記憶部５を備える。制御部４は、ＣＰＵを含む。制御部４は、制御用のプログラムおよびデータに基づき動作し、複合機１００の各部を制御する。
【００２２】
記憶部５は、ＲＯＭ、ＲＡＭおよびＨＤＤを含む。記憶部５は、制御用のプログラムおよびデータを記憶する。記憶部５は、制御部４に接続される。制御部４は、記憶部５からの情報の読み出しおよび記憶部５への情報の書き込みを行う。
【００２３】
制御部４には、画像読取部１および印刷部２が接続される。制御部４は、画像読取部１を制御するとともに、印刷部２を制御する。
【００２４】
また、制御部４には、仕分け部３が接続される。制御部４は、仕分け部３を制御する。すなわち、制御部４は、仕分け処理を制御する。仕分け部３としてオプション装置が設置されている場合、制御部４は、オプション装置と通信し、オプション装置に対して仕分け処理に関する指示を与える。
【００２５】
制御部４は、仕分け処理を制御するため、排出トレイ３１上での印刷物の排出位置を設定する排出位置設定処理を行う。言い換えると、制御部４は、印刷物のシフト方向およびシフト量を設定する。そして、制御部４は、排出位置設定処理で設定した排出位置への印刷物の排出を仕分け部３に行わせる。
【００２６】
また、ＭＦＰ１００は、操作パネル６を備える。操作パネル６は、タッチスクリーンおよびハードウェアボタンを備える。タッチスクリーンは、ソフトウェアボタンやメッセージを配した画面を表示し、表示画面に対する操作をユーザーから受け付ける。ハードウェアボタンは、操作パネル６に複数設けられる。操作パネル６に設けられるハードウェアボタンとしては、ジョブの実行指示を受け付けるためのスタートボタンなどがある。
【００２７】
操作パネル６は、制御部４に接続される。制御部４は、操作パネル６の表示動作を制御する。また、制御部４は、操作パネル６に対して行われた操作を検知する。
【００２８】
また、ＭＦＰ１００は、通信部７を備える。通信部７は、ＭＦＰ１００をＬＡＮなどのネットワークに接続するための通信インターフェースである。通信部７は、通信用回路、通信用メモリーおよび通信用コネクターを含む。
【００２９】
通信部７は、制御部４に接続される。制御部４は、通信部７を用いて、ネットワークに接続された外部機器と通信する。たとえば、ネットワークには、図示しないが、パーソナルコンピューター（ＰＣ）やサーバーが接続される。
【００３０】
＜配付物の印刷＞
ＭＦＰ１００は、学校や会社など、特定の人物が来訪する施設に設置される。以下の説明では、ＭＦＰ１００の設置施設が学校であるとする。学校は、複数の座席（机）が設置された教室を有する。教室の各座席には、生徒が着席する。
【００３１】
ＭＦＰ１００が設置された学校では、生徒に配付する配付物をＭＦＰ１００で印刷することができる。すなわち、生徒は配付物の配付を受ける被配付者となる。たとえば、配付物としてテスト用紙などが印刷される。通常、配付物の配付者は教師であり、教師によって配付物が配付される。
【００３２】
生徒に配付物を配付するため、教師はＰＣなどを用いてドキュメント（文書、表および図形など、配付物として配付する用紙Ｐに印刷する画像）を作成する。そして、当該ドキュメントの印刷データ（すなわち、配付物の印刷データ）をＭＦＰ１００に入力する。ＭＦＰ１００とＰＣとがネットワークを介して通信可能に接続されている場合には、ＰＣからＭＦＰ１００に対して配付物の印刷データを送信することにより、ＭＦＰ１００に配付物の印刷データを入力することができる。また、外部メモリー（ＵＳＢメモリーなど）に配付物の印刷データを一旦格納し、当該外部メモリーをＭＦＰ１００に接続することによっても、ＭＦＰ１００に配付物の印刷データを入力することができる。
【００３３】
ＭＦＰ１００に入力された配付物の印刷データは、ＭＦＰ１００に保存される。制御部４は、ＭＦＰ１００に入力された配付物の印刷データを記憶部５に記憶させる（図３参照）。以下の説明では、配付物の印刷データに符号Ｄを付す。
【００３４】
ＭＦＰ１００に配付物の印刷データを入力した後、教師は操作パネル６を操作することにより、配付物を印刷することができる。たとえば、操作パネル６は、配付物の印刷データのファイル名を選択肢として表示し、ファイル名の選択を受け付ける。
【００３５】
ファイル名の選択後、操作パネル６がジョブの実行指示を受け付けると、制御部４は、選択されたファイル名に対応する配付物の印刷データＤを印刷対象に設定する。そして、制御部４は、印刷対象の印刷データＤに基づく印刷を印刷部２に行わせる。印刷部２による印刷で得られた配付物は仕分け部３を介して機外に排出される。
【００３６】
ＭＦＰ１００から排出された配付物は教師が取得する。教師は配付物の取得後、教室に赴き、配付物を生徒に配付する。
【００３７】
たとえば、生徒ごとに異なる配付物（たとえば、生徒名や出席番号が予め記載されたテスト用紙）を配付する場合には、教師は生徒ごとの配付物の印刷データＤをＭＦＰ１００に入力する。当該印刷データＤはＭＦＰ１００の記憶部５に記憶される（図３参照）。以下の説明では、生徒ごとの配付物の印刷データＤに符号Ｄ１を付し、個別印刷データＤ１と称する。なお、複数の個別印刷データＤ１には、それぞれ、対応する生徒の生徒ＩＤ（識別情報）が属性情報として付加される。
【００３８】
また、全ての生徒に同じ配付物を配付する場合には、教師は全ての生徒に共通の配付物の印刷データＤをＭＦＰ１００に入力する。当該印刷データＤはＭＦＰ１００の記憶部５に記憶される（図３参照）。以下の説明では、全ての生徒に共通の配付物の印刷データＤに符号Ｄ２を付し、共通印刷データＤ２と称する。
【００３９】
ここで、ＭＦＰ１００は、配付支援機能を搭載する。配付支援機能は、教師による生徒への配付物の配付を支援する機能である。配付支援機能を利用することにより、配付物を配付するときの利便性が向上する。
【００４０】
＜配付支援機能＞
（配付支援機能のモード）
配付支援機能のモードとして、第１モードと第２モードとが予め準備される。第１モードのとき、制御部４は、配付支援機能に関する処理として第１処理を行う。第２モードのとき、制御部４は、配付支援機能に関する処理として第２処理を行う。
【００４１】
配付支援機能のモードの選択は操作パネル６が受け付ける。第１モードが選択された場合、制御部４は、配付支援機能のモードを第１モードに設定する（制御部４によって第１処理が行われる）。第２モードが選択された場合、制御部４は、配付支援機能のモードを第２モードに設定する（制御部４によって第２処理が行われる）。
【００４２】
（座席位置情報および座席割当情報）
配付支援機能に関する情報として、予め登録された座席位置情報５１が記憶部５に記憶される（図３参照）。配付支援機能を利用するには、座席位置情報５１の登録が必要である。座席位置情報５１の登録および編集は操作パネル６が受け付ける。座席位置情報５１の登録および編集はＰＣからでも行える。たとえば、座席位置情報５１の登録および編集は、配付支援機能の提供者（ＭＦＰ１００のメーカーやメンテナンス業者など）によって行われる。
【００４３】
座席位置情報５１は、教室内の複数の座席の各位置（座標）を示す情報である。以下の説明では、図４に示すような座席レイアウトに対応する座席位置情報５１が登録されているとする。図４では、教室内の複数の座席の各位置に丸印を付す。
【００４４】
ここで、座席位置情報５１に対応する複数の座席は、複数の座席グループＧ１０に分類される。たとえば、前後方向を列方向とする１列分の座席列の各座席が同じ座席グループＧ１０に含められる。図４に示す例では、複数の座席が４つの座席グループＧ１０（Ｇ１１、Ｇ１２、Ｇ１３およびＧ１４）に分類される。座席グループＧ１１には、座席列Ｒ１の各座席が含められる。座席グループＧ１２には、座席列Ｒ２の各座席が含められる。座席グループＧ１３には、座席列Ｒ３の各座席が含められる。座席グループＧ１４には、座席列Ｒ４の各座席が含められる。
【００４５】
また、記憶部５には、配付支援機能に関する情報として、予め登録された座席割当情報５２が記憶される（図３参照）。座席割当情報５２の登録および編集は操作パネル６が受け付ける。座席割当情報５２の登録および編集はＰＣからでも行える。たとえば、座席割当情報５２の登録および編集は、教師によって行われる。
【００４６】
座席割当情報５２は、複数の生徒にそれぞれ割り当てられた各座席を示す情報である。座席割当情報５２では、複数の座席のそれぞれについて、座席の位置と当該座席が割り当てられた生徒の生徒ＩＤとが対応付けられる。
【００４７】
たとえば、複数の生徒はそれぞれ、自身に割り当てられた座席に着席する。複数の生徒がそれぞれ、自身が着席する座席を任意に選ぶ場合もある。すなわち、或る座席に居る生徒が当該座席に割り当てられた生徒でない場合もある。また、複数の座席の全てに生徒が割り当てられているとは限らず、複数の座席のいずれかが空席（生徒が割り当てられれいない座席）の場合もある。
【００４８】
（第１処理）
生徒ごとに異なる配付物を配付する場合において、配付物の配付時の利便性を向上させるには、配付支援機能のモードを第１モードに設定すればよい。配付支援機能のモードが第１モードのとき、制御部４により第１処理が行われる。なお、生徒ごとに異なる配付物を配付する場合には、教師は個別印刷データＤ１を印刷対象として複数選択する。
【００４９】
以下に、図５に示すフローチャートを参照し、制御部４により行われる第１処理の流れについて説明する。図５に示すフローチャートのスタート時点では、配付支援機能が有効に設定され、配付支援機能のモードが第１モードに設定されているとする。また、印刷対象の印刷データＤとして個別印刷データＤ１が複数選択されているとする。この状態で、ジョブの実行指示を操作パネル６が受け付けたとき、図５に示すフローチャートがスタートする。
【００５０】
ここでは、複数の生徒がそれぞれ、自身が着席する座席を任意に選んでいるとする。すなわち、予め割り当てられた座席とは別の座席に着席している生徒が存在する。別の座席に着席している生徒が１人であってもよいし複数（たとえば、全員）であってもよい。
【００５１】
ステップ＃１において、制御部４は、教室内に居る複数の生徒のそれぞれの位置情報を認識する生徒位置認識処理を行う。生徒の位置情報は、生徒の生徒ＩＤを示す情報および当該生徒の位置を示す情報を含む。生徒位置認識処理で用いる測位技術は特に限定されない。測位技術がビーコンを用いた技術であってもよい。
【００５２】
たとえば、ビーコン信号を発信するビーコンが教室内に複数設置される。ビーコンは、自機のＩＤ（ビーコンＩＤ）を含む信号を発信する。生徒は生徒用端末を所持する。生徒用端末は、ビーコンからのビーコン信号を受信する。たとえば、生徒用端末がスマートフォンであってもよい。また、名札型やブレスレット型のウェアラブルデバイスを生徒用端末として用いることもできる。
【００５３】
或る生徒が教室に入ると、教室に入った生徒の生徒用端末は、ビーコンからのビーコン信号を受信する。ビーコン信号を受信した生徒用端末は、受信したビーコン信号のビーコンＩＤを認識するとともに、受信したビーコン信号の受信強度を認識し、ビーコンＩＤと受信強度とを対応付けたビーコン情報をサーバー（図示せず）に送信する。サーバーは、ビーコン情報に基づき位置の測定を行い、測定の結果および測定の対象となった生徒用端末を所持する生徒の生徒ＩＤを含む測定情報をＭＦＰ１００に送信する。
【００５４】
制御部４は、サーバーから測定情報を受信すると、測定情報に含まれる生徒ＩＤに対応する生徒の位置情報を認識する。なお、生徒用端末からＭＦＰ１００に対してビーコン情報が直接送信されてもよい。この場合、ビーコン情報に基づく位置の測定が制御部４によって行われる。
【００５５】
ここで挙げた測定方法は一例であり、他の方法を用いて生徒の位置を測定してもよい。たとえば、ビーコン信号（生徒ＩＤを含む信号）を発信するビーコン端末を生徒に所持させ、ビーコン端末からのビーコン信号を受信する受信機を複数の座席のそれぞれに設置してもよい。受信機は、対応する座席に居る生徒（着席している生徒）が所持するビーコン端末からのビーコン信号を受信し、受信したビーコン信号に含まれる生徒ＩＤを生徒の位置情報としてＭＦＰ１００に送信する。生徒の位置情報には、送信元の受信機が設置された座席の位置を示す情報なども含められる。これにより、教室内に居る生徒の位置情報を制御部４に認識させることができる。
【００５６】
ステップ＃１の処理後、ステップ＃２に移行する。ステップ＃２に移行すると、制御部４は、生徒の位置情報と座席位置情報５１とに基づき、座席に居る生徒（座席の位置から所定距離の範囲内に居る生徒）である第１被配付者を認識する処理を行う。すなわち、制御部４は、誰がどの座席に居るかを認識する。少なくとも、座席に着席している生徒は第１被配付者として認識される。ここでは、第１被配付者が複数存在するとする。
【００５７】
また、ステップ＃３において、制御部４は、座席に居ない生徒である第２被配付者を認識する処理を行う。たとえば、教室に入っていない生徒が第２被配付者となる。また、教室に入っていても座席から大きく離れている生徒が第２被配付者となる。
【００５８】
ステップ＃４において、制御部４は、複数の第１被配付者をグループ分けする。このとき、制御部４は、同一の座席グループの座席に居る第１被配付者を同一の仕分けグループに分類する処理を行う。
【００５９】
ここで、図６を参照し、複数の第１被配付者のグループ分けについて説明する。図６では、第１被配付者（第１被配付者が居る座席）を黒丸で示す。また、仕分けグループに符号Ｇ２０を付す。図面を見易くするため、座席グルーブＧ１０を示す枠を細線で示し、仕分けグループＧ２０を示す枠と区別する。
【００６０】
また、座席グループＧ１１の座席に居る第１被配付者が４人（符号Ｓ１１、Ｓ１２、Ｓ１３およびＳ１４を付す）であるとする。座席グループＧ１２の座席に居る第１被配付者が３人（符号Ｓ２１、Ｓ２２およびＳ２３を付す）であるとする。座席グループＧ１３の座席に居る第１被配付者が４人（符号Ｓ３１、Ｓ３２、Ｓ３３およびＳ３４を付す）であるとする。座席グループＧ１４の座席に居る第１被配付者が５人（符号Ｓ４１、Ｓ４２、Ｓ４３、Ｓ４４およびＳ４５を付す）であるとする。
【００６１】
図６に示す例では、第１被配付者Ｓ１１、Ｓ１２、Ｓ１３およびＳ１４が同一の座席グループＧ１１の座席に居るので、第１被配付者Ｓ１１〜Ｓ１４が同一の仕分けグループＧ２１に分類される。また、第１被配付者Ｓ２１、Ｓ２２およびＳ２３が同一の座席グループＧ１２の座席に居るので、第１被配付者Ｓ２１〜Ｓ２３が同一の仕分けグループＧ２２に分類される。また、第１被配付者Ｓ３１、Ｓ３２、Ｓ３３およびＳ３４が同一の座席グループＧ１３の座席に居るので、第１被配付者Ｓ３１〜Ｓ３４が同一の仕分けグループＧ２３に分類される。また、第１被配付者Ｓ４１、Ｓ４２、Ｓ４３、Ｓ４４およびＳ４５が同一の座席グループＧ１４の座席に居るので、第１被配付者Ｓ４１〜Ｓ４５が同一の仕分けグループＧ２４に分類される。
【００６２】
図５に戻り、ステップ＃４の処理後、ステップ＃５に移行する。ステップ＃５に移行すると、制御部４は、第２被配付者が存在するか否かを判断する。その結果、第２被配付者が存在すると制御部４が判断した場合には、ステップ＃６に移行する。
【００６３】
ステップ＃６に移行すると、制御部４は、第２被配付者が存在する旨の報知を操作パネル６に行わせる。たとえば、操作パネル６は、第２被配付者が存在する旨の報知メッセージや、第２被配付者の生徒ＩＤ（たとえば、生徒名や出席番号）などを表示する。このとき、ＭＦＰ１００から警告音が出力されてもよい。また、ステップ＃７において、制御部４は、第２被配付者の配付物の印刷を行うか否かの受け付けを操作パネル６に行わせる。その後、ステップ＃８に移行する。ステップ＃５において、第２被配付者が存在しないと制御部４が判断した場合にも、ステップ＃８に移行する。
【００６４】
ステップ＃８に移行すると、制御部４は、配付物の印刷順の設定を行う。このとき、制御部４は、同一の仕分けグループの第１被配付者の配付物が連続して印刷されるように配付物の印刷順を設定する。また、制御部４は、同一の仕分けグループにおいて、より前の座席に居る第１被配付者の配付物から順に印刷されるように配付物の印刷順を設定する。
【００６５】
たとえば、図６に示す例では、仕分けグループＧ２１の第１被配付者Ｓ１１〜Ｓ１４の各配付物、仕分けグループＧ２２の第１被配付者Ｓ２１〜Ｓ２３の各配付物、仕分けグループＧ２３の第１被配付者Ｓ３１〜Ｓ３４の各配付物、および、仕分けグループＧ２４の第１被配付者Ｓ４１〜Ｓ４５の各配付物がこの順番で印刷されるように、制御部４により印刷順が設定される。このように印刷順が設定された場合には、たとえば、仕分けグループＧ２１の各配付物の印刷が開始されて以降、仕分けグループＧ２１の各配付物の印刷が全て完了するまでは、他の仕分けグループＧ２０（Ｇ２２〜Ｇ２４のいずれか）の各配付物の印刷は行われない。
【００６６】
また、仕分けグループＧ２１に着目すると、前側の座席から後側の座席に向かって、第１被配付者Ｓ１１、Ｓ１２、Ｓ１３およびＳ１４がこの順番で並んでいる。このため、仕分けグループＧ２１の各配付物の印刷順は、第１被配付者Ｓ１１の配付物、第１被配付者Ｓ１２の配付物、第１被配付者Ｓ１３の配付物、および、第１被配付者Ｓ１４の配付物、という順番になる。
【００６７】
なお、第２被配付者の配付物の印刷を行う旨を操作パネル６が受け付けた場合、制御部４は、第２被配付者を第１被配付者の仕分けグループとは異なる仕分けグループに分類する処理を行う。そして、たとえば、制御部４は、第２被配付者の仕分けグループの配付物の印刷順を第１被配付者の仕分けグループの各配付物よりも後に回す。
【００６８】
たとえば、図６に示す例において、第２被配付者が存在する場合には、仕分けグループＧ２１〜Ｇ２４の各印刷物の印刷が全て完了してから、第２被配付者の仕分けグループの被配付物の印刷が行われるように、制御部４により印刷順が設定される。
【００６９】
図５に戻り、ステップ＃８の処理後、ステップ＃９に移行する。ステップ＃９に移行すると、制御部４は、設定した印刷順で、第１被配付者の個別印刷データＤ２に基づく印刷を印刷部２に行わせる。なお、第２被配付者の配付物の印刷を行う旨を操作パネル６が受け付けた場合、制御部４は、第２被配付者の個別印刷データＤ２に基づく印刷も印刷部２に行わせる。第２被配付者の個別印刷データＤ２に基づく印刷は最後に行われる。
【００７０】
また、制御部４は、仕分けグループ単位で、個別印刷データＤ２に基づく印刷で得られた配付物の仕分けを仕分け部３に行わせる。仕分け部３は、或る仕分けグループの各配付物の排出後、次の仕分けグループの各配付物を排出するとき、次の仕分けグループの各配付物の排出位置を幅方向にシフトする。
【００７１】
たとえば、図６に示す例では、仕分けグループＧ２１の各配付物が第１排出位置（たとえば、図２に示す印刷物Ｐａの排出位置）に排出され、その後、仕分けグループＧ２２の各配付物が第２排出位置（たとえば、図２に示す印刷物Ｐｂの排出位置）に排出される。仕分けグループＧ２２の各配付物の排出後、排出位置の設定が第１排出位置に戻され、仕分けグループＧ２３の各配付物が第１排出位置に排出される。仕分けグループＧ２３の各配付物の排出後、排出位置の設定が第２排出位置に再度変更され、仕分けグループＧ２４の各配付物が第２排出位置に排出される。
【００７２】
これにより、印刷完了後、排出トレイ３１上の各配付物の状態は、図７に示すようになる。図７では、仕分けグループＧ２１の各配付物に符号Ｐ２１を付し、仕分けグループＧ２２の各配付物に符号Ｐ２２を付し、仕分けグループＧ２３の各配付物に符号Ｐ２３を付し、仕分けグループＧ２４の各配付物に符号Ｐ２４を付す。図示しないが、第２被配付者の配付物が存在する場合には、第２被配付者の配付物は第１排出位置に排出される。
【００７３】
また、仕分けグループＧ２１の各配付物に着目すると、第１被配付者Ｓ１１の配付物、第１被配付者Ｓ１２の配付物、第１被配付者Ｓ１３の配付物、および、第１被配付者Ｓ１４の配付物、がこの順番で積層される。他の仕分けグループ２０も同様に、より前の座席に居る第１被配付者の配付物から順に積層される。
【００７４】
上記の構成では、配付支援機能のモードを第１モードに設定することにより、制御部４により第１処理が行われる。第１処理を行うとき、制御部４は、生徒（被配付者）の位置情報を認識し、生徒の位置情報と座席位置情報５１とに基づき座席に居る生徒（第１被配付者）を認識する。また、制御部４は、同一の座席グループの座席に居る生徒を同一の仕分けグループに分類する処理を行う。そして、制御部４は、座席に居る生徒の個別印刷データＤ１に基づく印刷を印刷部２に行わせ、仕分け部３による配付物の仕分けを仕分けグループ単位で行わせる。
【００７５】
これにより、教師（配付者）が座席列単位で配付物を配付しようとしている場合、複数の生徒に配付する配付物が生徒ごとに異なっていたり、各生徒が自身で任意に選んだ座席に着席していたりしても、教師が自身で配付物の仕分け作業を行わなくてもよくなる。なぜなら、排出トレイ３１上において同一の座席列に居る各生徒の配付物が１まとまりになるためである。その結果、教師からすると、行うべき作業が減るので、利便性が良い。また、配付物を配付するとき、各生徒がどの座席に居るかの確認を行わなくてもよいので、配付物の配付を速やかに完了させることができる。
【００７６】
また、上記の構成では、制御部４は、座席に居ない生徒（第２被配付者）が存在する場合、座席に居ない生徒が存在する旨の報知を操作パネル６に行わせる。これにより、教師からすると、座席に居ない生徒が存在することを容易に知ることができるので、利便性が良い。
【００７７】
また、上記の構成では、制御部４は、第２被配付者の配付物の印刷を行う旨を操作パネル６が受け付けた場合、第２被配付者を第１被配付者の仕分けグループとは別の仕分けグループに分類する処理を行う。そして、制御部４は、第１被配付者の個別印刷データＤ１に基づく印刷および第２被配付者の個別印刷データＤ１に基づく印刷を印刷部２に行わせるとともに、仕分け部３による配付物の仕分けを仕分けグループ単位で行わせる。これにより、第１被配付者の配付物と第２被配付者の配付物とが区別されるので、容易に、第２被配付者の配付物を特定することができ、第２被配付者の配付物だけを取り出すことができる。
【００７８】
なお、変形例として、第２被配付者の配付物の印刷を行う場合、第２被配付者の仕分けグループの設定が座席割当情報５２に基づき行われてもよい。
【００７９】
変形例では、第２被配付者の配付物の印刷を行う旨を操作パネル６が受け付けた場合、制御部４は、座席割当情報５２に基づき、第２被配付者に割り当てられた座席の位置を認識する。そして、制御部４は、第２被配付者に割り当てられた座席を含む座席グループの座席に居る第１被配付者を認識し、当該認識した第１被配付者と同じ仕分けグループに第２被配付者を分類する。
【００８０】
たとえば、図６に示すように、第２被配付者に割り当てられた座席が座席グループＧ１１に含まれるとする。図６では、第２被配付者に割り当てられた座席を二重丸で示す。
【００８１】
この例では、第２被配付者に割り当てられた座席を含む座席グループＧ１１の座席に居るのが第１被配付者Ｓ１１〜Ｓ１４となる。また、第１被配付者Ｓ１１〜Ｓ１４は仕分けグループＧ２１に属する。したがって、第２被配付者は仕分けグループＧ２１に分類される。
【００８２】
上記の変形例によると、第２被配付者に割り当てられた座席を含む座席グループの座席に居る第１被配付者と同じ仕分けグループに第２排出者が分類されるので、当該仕分けグループに対応する配付物の束を特定することにより、容易に、第２被配付者の配付物だけを取り出すことができる。
【００８３】
（第２処理）
制御部４に第２処理を行わせるため、記憶部５には出欠情報５３が記憶される（図３参照）。出欠情報５３は、生徒（被配付者）の出欠状況を示す情報である。
【００８４】
たとえば、操作パネル６は、図８に示すようなチェックシートＣＳの印刷指示を受け付ける。制御部４は、当該印刷指示を受け付けると、チェックシートＣＳの印刷を印刷部２に行わせる。
【００８５】
チェックシートＣＳには、複数のチェック欄Ｃが配される。複数のチェック欄Ｃは、座席位置情報５１に対応する複数の座席と同じ配列パターンで並ぶ。すなわち、複数のチェック欄Ｃは、それぞれ、複数の座席に対応する。
【００８６】
チェックシートＣＳは教師が取得する。そして、教師は生徒の出欠状況を確認し、チェックシートＣＳにチェックを入れる。具体的には、出席している生徒に割り当てられた座席に対応するチェック欄Ｃにチェックが入れられる。図８には、教師によるチェックが行われたチェックシートＣＳを図示する。
【００８７】
操作パネル６は、チェックシートＣＳを読み取るチェックシート読取モードを有効にするか否かを受け付ける。制御部４は、チェックシート読取モードが有効に設定された状態で、画像読取部２による読み取りが行われると、画像読取部２が読み取った原稿ＤがチェックシートＣＳであると判断する。すなわち、制御部４は、画像読取部２による読み取りで得られた原稿Ｄの画像データがチェックシートＣＳの画像データであると判断する。
【００８８】
制御部４は、チェックシートＣＳの画像データと座席位置情報５１とに基づき、出席している生徒に割り当てられた座席（チェックが入っているチェック欄Ｃに対応する座席）を認識する。また、制御部４は、座席グループごとに、出席している生徒の人数（チェックが入っているチェック欄Ｃの数）である出席人数を認識する。そして、制御部４は、座席グループごとの出席人数を示す情報を出欠情報５３として記憶部５に記憶させる。
【００８９】
たとえば、図４に示したように、複数の座席が４つの座席グループＧ１１〜Ｇ１４にグループ分けされているとする。この場合、図８に示す例では、座席グループＧ１１の出席人数が４人となり、座席グループＧ１２の出席人数も４人となり、座席グループＧ１３の出席人数が３人となり、座席グループＧ１４の出席人数が５人となる。なお、図８では、便宜上、座席グループＧ１０を示す枠を図示しているが、実際のチェックシートＣＳには当該枠が印刷されない。座席グループＧ１０を示す枠がチェックシートＣＳに印刷されるように、チェックシートＣＳに関する設定が行えてもよい。チェックシートＣＳに関する設定は操作パネル６が受ける。
【００９０】
複数の生徒がそれぞれ自身に割り当てられた座席に着席する場合であって、全ての生徒に同じ配付物を配付する場合において、配付物の配付時の利便性を向上させるには、配付支援機能のモードを第２モードに設定すればよい。配付物の仕分けが出欠情報５３（生徒の出欠状況）に基づき行われるモードが第２モードである。配付支援機能のモードが第２モードのとき、制御部４により第２処理が行われる。なお、全ての生徒に同じ配付物を配付する場合には、教師は共通印刷データＤ２を印刷対象として選択する。
【００９１】
以下に、図９に示すフローチャートを参照し、制御部４により行われる第２処理の流れについて説明する。図９に示すフローチャートのスタート時点では、配付支援機能が有効に設定され、配付支援機能のモードが第２モードに設定されているとする。また、印刷対象の印刷データＤとして共通印刷データＤ２が選択されているとする。この状態で、ジョブの実行指示を操作パネル６が受け付けたとき、図９に示すフローチャートがスタートする。
【００９２】
ステップ＃１１において、制御部４は、出欠情報５３に基づき、座席グループごとの出席人数を認識する。言い換えると、制御部４は、チェックシートＣＳの画像データと座席位置情報５１とに基づき、座席グループごとの出席人数を認識する。また、ステップ＃１２において、制御部４は、座席グループごとの出席人数の合計を印刷部数に設定する。
【００９３】
そして、ステップ＃１３において、制御部４は、共通印刷データＤ２に基づく印刷を印刷部２に行わせる。印刷部２は、制御部４が設定した部数分（ステップ＃１２で設定された部数分）、共通印刷データＤ２に基づく印刷を行う。
【００９４】
また、制御部４は、複数の座席グループのそれぞれの出席人数分の配付物が互いに区別されるように、配付物の仕分けを仕分け部３に行わせる。仕分け部３は、或る座席グループの出席人数分の配付物の排出後、次の座席グループの出席人数分の配付物を排出するとき、次の座席グループの出席人数分の配付物の排出位置を幅方向にシフトする。
【００９５】
たとえば、図８に示す例では、座席グループＧ１１の出席人数分（４部）の配付物が第１排出位置（たとえば、図２に示す印刷物Ｐａの排出位置）に排出され、その後、座席グループＧ１２の出席人数分（４部）の配付物が第２排出位置（たとえば、図２に示す印刷物Ｐｂの排出位置）に排出される。座席グループＧ１２の各配付物の排出後、排出位置の設定が第１排出位置に戻され、座席グループＧ１３の出席人数分（３部）の配付物が第１排出位置に排出される。座席グループＧ１３の各配付物の排出後、排出位置の設定が第２排出位置に再度変更され、座席グループＧ１４の出席人数分（５部）の配付物が第２排出位置に排出される。
【００９６】
これにより、印刷完了後、排出トレイ３１上の各配付物の状態は、図１０に示すようになる。図１０では、座席グループＧ１１の４部の配付物に符号Ｐ１１を付し、座席グループＧ１２の４部の配付物に符号Ｐ１２を付し、座席グループＧ１３の３部の配付物に符号Ｐ１３を付し、座席グループＧ１４の５部の配付物に符号Ｐ１４を付す。
【００９７】
上記の構成では、配付支援機能のモードを第２モードに設定することにより、制御部４により第２処理が行われる。第２処理を行うとき、制御部４は、出欠情報５３に基づき、座席グループごとに、出席している生徒（被配付者）の人数である出席人数を認識する。そして、制御部４は、座席グループごとの出席人数の合計に相当する部数分、共通印刷データＤ２に基づく印刷を印刷部２に行わせる。また、制御部４は、複数の座席グループのそれぞれの出席人数分の配付物が互いに区別されるように、仕分け部３に配付物の仕分けを行わせる。
【００９８】
これにより、教師（配付者）が全ての生徒に同じ配付物を座席列単位で配付しようとしている場合、排出トレイ３１上において複数の座席列のそれぞれの出席人数分の配付物が１まとまりになるので、教師が自身で配付物の仕分け作業を行わなくてもよくなる。その結果、教師からすると、行うべき作業が減るので、利便性が良い。また、配付物を配付するとき、座席列ごとに配付物の枚数を確認しなくてもよいので、配付物の配付を速やかに完了させることができる。
【００９９】
また、この構成では、チェックシートＣＳに最新の出欠状況を記入し、最新の出欠状況を記入したチェックシートＣＳをＭＦＰ１００でスキャンするだけで、出欠情報５３を更新することができるので、教師にとっては利便性が良い。
【０１００】
また、この構成では、配付支援機能のモードを第１モードおよび第２モードのいずれに設定するかを任意に選択することができるので、教師にとっては利便性が良い。
【０１０１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０２】
１  画像読取部
２  印刷部
３  仕分け部
４  制御部
５  記憶部
６  操作パネル
Ｄ１  個別印刷データ
Ｄ２  共通印刷データ
【図１】
2020069697.tif 000003
【図２】
2020069697.tif 000004
【図３】
2020069697.tif 000005
【図４】
2020069697.tif 000006
【図５】
2020069697.tif 000007
【図６】
2020069697.tif 000008
【図７】
2020069697.tif 000009
【図８】
2020069697.tif 000010
【図９】
2020069697.tif 000011
【図１０】
2020069697.tif 000012